(57)【要約】【課題】庫内側からの解錠操作の簡便化と、ワンアクションでの庫外側からの本施錠操作の実現とに資する錠を提供すること。【解決手段】本体ケース７、施錠姿勢と解錠姿勢とに変更可能な施錠部材８、一端側が施錠ボタン１，他端側が解錠ボタン２になっているシーソー部材３と、シーソー部材の回動を施錠部材に伝達し、施錠ボタンが後退位置にあるときに施錠部材は施錠姿勢をとり、前記解錠ボタンが後退位置にあるときに施錠部材は解錠姿勢をとるようにするための伝達部材１２と、シーソー部材の背面側に配され、前方への押し操作を受ける押しボタン６とを具備し、施錠ボタンが後退位置にあるときに押しボタンが前方への押し操作を受けると、押しボタンが施錠ボタンに当接して施錠ボタンを前進させ、これに伴って施錠部材が解錠姿勢をとるように構成されている。【選択図】図１
2016061095.tif 000002
【特許請求の範囲】
【請求項１】
本体ケースと、
該本体ケースの側方に突出し、施錠姿勢と解錠姿勢とに変更可能な施錠部材と、
前記本体ケースの前面側に配され、一端側が施錠ボタン、他端側が解錠ボタンになっていて、前記施錠ボタン又は前記解錠ボタンの何れか一方が後方への押し操作を受けて後退すると他方が前進するように回動するシーソー部材と、
前記施錠ボタン又は前記解錠ボタンが後方への押し操作を受けたときの前記シーソー部材の回動を前記施錠部材に伝達し、前記施錠ボタンが後退位置にあるときに前記施錠部材は施錠姿勢をとり、前記解錠ボタンが後退位置にあるときに前記施錠部材は解錠姿勢をとるようにするための伝達部材と、
前記シーソー部材の背面側に配され、前方への押し操作を受ける押しボタンと
を具備し、
前記施錠ボタンが後退位置にあるときに前記押しボタンが前方への押し操作を受けると、該押しボタンが前記施錠ボタンに当接して該施錠ボタンを前進させ、これに伴って前記施錠部材が解錠姿勢をとるように構成されていることを特徴とする錠。
【請求項２】
前方から差し込まれる鍵により回動操作されて、ロック位置とオープン位置とで停止するシリンダー錠と、
前記シリンダー錠に連動し、前記シリンダー錠が前記ロック位置にあるときは前記伝達部材の動きを規制する規制位置に位置して前記施錠姿勢にある前記施錠部材を拘束し、前記シリンダー錠が前記オープン位置にあるときは前記規制が行われない解放位置に位置する拘束部材と、
前記拘束部材に設けられ、前記拘束部材が前記規制位置に位置するときに前記伝達部材の動きを規制するために該伝達部材に係止し、前記拘束部材が前記規制位置を離れるに伴って前記伝達部材への係止が解かれる係止カムとを具備し、
前記シリンダー錠がロック位置にあるときに前記押しボタンが前方への押し操作を受けると、該押しボタンに連動する解除カムが前記係止カムに当接して前記伝達部材に対する前記係止カムの係止を解除するように構成されている請求項１に記載の錠。
【請求項３】
前記施錠部材が解錠姿勢をとっているときに前記拘束部材が前記解放位置から前記規制位置に移動する場合、該拘束部材は、前記係止カムを介して前記伝達部材に係止しながら移動し、前記伝達部材を動かして前記施錠部材に施錠姿勢をとらせるように構成されている請求項２に記載の錠。
【請求項４】
前記シリンダー錠が前記オープン位置から前記ロック位置に移動するのに伴って、前記係止カムに前記解除カムが当接し、該解除カムに連動するストッパーが前進位置にある前記解錠ボタンの後方への移動を妨げる位置に停止した状態になるように構成されている請求項２又は３に記載の錠。
【発明の詳細な説明】
【技術分野】
【０００１】
本発明は、例えば、人の出入りが可能な内部空間を有する物置等の戸に設けられる錠に関する。
【背景技術】
【０００２】
例えば屋外に設置された物置の引戸が解錠状態である場合、引戸自体は閉まっていても風などによる少しの衝撃や振動で開くことがあり、また、使用者は引戸を閉めたつもりでいても実際は引戸自体のリバウンドで開いていることもある。そして、人目につく環境で引戸が僅かにでも開いたまま無人で放置されている状況は窃盗を誘発しかねず、物置が無人となる間に引戸を解錠状態にしてあるのは、例えそれが短時間であっても防犯上決して好ましくない。
【０００３】
しかし、物置内外への物の入出作業を、作業者が物を抱えた状態で行ったり連続して行ったりする場合、鍵を用いた引戸の施解錠は必然的に困難化あるいは煩雑化するため、やむを得ず引戸が解錠状態のままの物置を短時間ながらも無人で放置するという状況は起こり得る。
【０００４】
そこで、図３３に示す錠７１は、キー挿入口７２に鍵を挿入して行う本施解錠の他に、鍵操作が不要で庫外ノブ７３の回動操作により行える仮施解錠をも可能としている（特許文献１参照）。即ち、この錠７１を用いた物置では、使用しない夜間等は引戸を本施錠しておき、使用中は仮施解錠を利用することにより、高い防犯性と操作性の両立を図ることができる。
【先行技術文献】
【特許文献】
【０００５】
【特許文献１】特開２０１０−２０９５７７号公報
【発明の概要】
【発明が解決しようとする課題】
【０００６】
ところで、物置に入って作業をしている際に、例えば子供がいたずらで外から施錠（仮施錠あるいは本施錠）したり、物置内に人がいることを知らずに誤って他の者が施錠したりすることが考えられる。そして、この場合、物置内に閉じ込められた人が自力での脱出を行えるようにするには、物置内から仮解錠及び本解錠を行えるようにしておく必要がある。
【０００７】
この点、図３３の錠では、庫内ノブ７４を所定方向に回動操作したり、庫内ロックノブ７５を所定方向にスライドさせたりすることにより、庫内側からも仮解錠及び本解錠を行える。
【０００８】
しかし、作業の容易性や明るさから来る安心感などから物置の使用は専ら日中に行われることが多いとはいえ、日中であっても物置内部は比較的暗く、そのように暗い環境下では、庫内ノブ７４を所定方向に回動操作したり、庫内ロックノブ７５を所定方向にスライドさせたりするのが困難となる可能性がある。
【０００９】
また、図３３の錠では、庫外側から本施錠をする場合、庫外ノブ７３を操作して仮施錠を行い、その上で鍵をキー挿入口７２に挿し込んで本施錠を行う、といったように二つのアクションが必要になるという欠点もある。
【００１０】
本発明は上述の事柄に留意してなされたもので、その目的は、庫内側からの解錠操作の簡便化と、ワンアクションでの庫外側からの本施錠操作の実現とに資する錠を提供することにある。
【課題を解決するための手段】
【００１１】
上記目的を達成するために、本発明に係る錠は、本体ケースと、該本体ケースの側方に突出し、施錠姿勢と解錠姿勢とに変更可能な施錠部材と、前記本体ケースの前面側に配され、一端側が施錠ボタン、他端側が解錠ボタンになっていて、前記施錠ボタン又は前記解錠ボタンの何れか一方が後方への押し操作を受けて後退すると他方が前進するように回動するシーソー部材と、前記施錠ボタン又は前記解錠ボタンが後方への押し操作を受けたときの前記シーソー部材の回動を前記施錠部材に伝達し、前記施錠ボタンが後退位置にあるときに前記施錠部材は施錠姿勢をとり、前記解錠ボタンが後退位置にあるときに前記施錠部材は解錠姿勢をとるようにするための伝達部材と、前記シーソー部材の背面側に配され、前方への押し操作を受ける押しボタンとを具備し、前記施錠ボタンが後退位置にあるときに前記押しボタンが前方への押し操作を受けると、該押しボタンが前記施錠ボタンに当接して該施錠ボタンを前進させ、これに伴って前記施錠部材が解錠姿勢をとるように構成されている（請求項１）。
【００１２】
上記錠が、前方から差し込まれる鍵により回動操作されて、ロック位置とオープン位置とで停止するシリンダー錠と、前記シリンダー錠に連動し、前記シリンダー錠が前記ロック位置にあるときは前記伝達部材の動きを規制する規制位置に位置して前記施錠姿勢にある前記施錠部材を拘束し、前記シリンダー錠が前記オープン位置にあるときは前記規制が行われない解放位置に位置する拘束部材と、前記拘束部材に設けられ、前記拘束部材が前記規制位置に位置するときに前記伝達部材の動きを規制するために該伝達部材に係止し、前記拘束部材が前記規制位置を離れるに伴って前記伝達部材への係止が解かれる係止カムとを具備し、前記シリンダー錠がロック位置にあるときに前記押しボタンが前方への押し操作を受けると、該押しボタンに連動する解除カムが前記係止カムに当接して前記伝達部材に対する前記係止カムの係止を解除するように構成されていてもよい（請求項２）。
【００１３】
上記錠において、前記施錠部材が解錠姿勢をとっているときに前記拘束部材が前記解放位置から前記規制位置に移動する場合、該拘束部材は、前記係止カムを介して前記伝達部材に係止しながら移動し、前記伝達部材を動かして前記施錠部材に施錠姿勢をとらせるように構成されていてもよい（請求項３）。
【００１４】
上記錠において、前記シリンダー錠が前記オープン位置から前記ロック位置に移動するのに伴って、前記係止カムに前記解除カムが当接し、該解除カムに連動するストッパーが前進位置にある前記解錠ボタンの後方への移動を妨げる位置に停止した状態になるように構成されていてもよい（請求項４）。
【発明の効果】
【００１５】
本願発明では、庫内側からの解錠操作の簡便化と、ワンアクションでの庫外側からの本施錠操作の実現とに資する錠が得られる。
【００１６】
すなわち、本願の各請求項に係る発明の錠では、この錠が取り付けられた物置等に人が閉じ込められた場合でも、その人は庫内側から押しボタンを前方に押し操作するだけで解錠操作を行うことができ、この解錠操作は非常にシンプルであるので、物置内が暗くてもそこからの脱出が容易となる。また、押しボタンに対する操作を、押し操作による解錠操作のみとすれば、庫内側から施錠操作が行われることはないので、物置内に閉じ込められた人がパニックになって解錠操作と施錠操作を繰り返す、といったことも生じない。
【００１７】
請求項３に係る発明の錠では、鍵を用いて本施錠する際、施錠部材が施錠状態の場合はもちろん、解錠状態であってもそのままワンアクションで本施錠することが可能となる。
【００１８】
請求項４に係る発明の錠では、本施錠した状態で解錠ボタンが強い力で押されても、ストッパーの働きにより、その解錠を確実に防止することができる。
【図面の簡単な説明】
【００１９】
【図１】（Ａ）〜（Ｃ）は、本発明の一実施の形態に係る錠の構成を概略的に示す背面図、正面図及び側面図である。
【図２】前記錠の構成を概略的に示す斜視図である。
【図３】（Ａ）及び（Ｂ）は、仮施錠状態の前記錠の構成を概略的に示す正面図及び側面図である。
【図４】（Ａ）及び（Ｂ）は、仮解錠状態の前記錠の構成を概略的に示す正面図及び側面図である。
【図５】（Ａ）及び（Ｂ）は、本施錠状態の前記錠の構成を概略的に示す正面図及び側面図である。
【図６】前記錠の主要部品の構成を概略的に示す斜視図である。
【図７】前記錠の要部の構成を概略的に示す分解斜視図である。
【図８】仮施解錠時の前記錠の作動を概略的に示す説明図である。
【図９】押しボタン操作による仮解錠時の前記錠の作動を概略的に示す説明図である。
【図１０】（Ａ）及び（Ｂ）は、本解錠状態及び本施錠状態にある前記錠の構成を概略的に示す断面図である。
【図１１】（Ａ）及び（Ｂ）は、本解錠状態及び本施錠状態にある前記錠の要部の構成を概略的に示す斜視図である。
【図１２】（Ａ）及び（Ｂ）は、本解錠状態にある前記錠の係止カムの状態を概略的に示す平面図及び側面図である。
【図１３】（Ａ）及び（Ｂ）は、本施錠状態にある前記錠の係止カムの状態を概略的に示す平面図及び側面図である。
【図１４】（Ａ）及び（Ｂ）は、押しボタンによる本解錠操作時の係止カムの状態を概略的に示す平面図及び側面図である。
【図１５】（Ａ）及び（Ｂ）は、押しボタンによる本解錠操作後の係止カムの状態を概略的に示す平面図及び側面図である。
【図１６】本施錠状態にある前記錠の要部の状態を概略的に示す説明図である。
【図１７】（Ａ）〜（Ｃ）は表カバーの正面図、背面図及び側面図、（Ｄ）は（Ｂ）のＤ−Ｄ線断面図、（Ｅ）は（Ｂ）のＥ−Ｅ線断面図である。
【図１８】（Ａ）〜（Ｄ）は裏カバーの正面図、底面図、背面図及び側面図である。
【図１９】（Ａ）〜（Ｄ）はシーソー本体部の正面図、側面図、背面図及び平面図である。
【図２０】（Ａ）〜（Ｄ）は解錠表示板の正面図、側面図、背面図及び底面図である。
【図２１】（Ａ）〜（Ｅ）は施錠表示板の正面図、右側面図、背面図、左側面図及び底面図である。
【図２２】（Ａ）〜（Ｃ）は雌軸部の左側面図、正面図及び右側面図、（Ｄ）〜（Ｆ）は雄軸部の左側面図、正面図及び右側面図、（Ｇ）は回転軸部の分解正面図である。
【図２３】（Ａ）〜（Ｄ）は、伝達部材の左側面図、正面図、右側面図及び底面図である。
【図２４】（Ａ）及び（Ｂ）は、施錠部材の正面図及び底面図である。
【図２５】（Ａ）〜（Ｄ）は、受け板の平面図、左側面図、正面図及び右側面図である。
【図２６】（Ａ）〜（Ｃ）は、爪部材の正面図、側面図及び底面図である。
【図２７】（Ａ）〜（Ｄ）は、シリンダー錠の平面図、背面図、側面図及び正面図、（Ｅ）は（Ｃ）のＥ−Ｅ線断面図、（Ｆ）は（Ａ）のＦ−Ｆ線断面図、（Ｇ），（Ｈ）は（Ｄ）のＧ−Ｇ線断面図及びＨ−Ｈ線断面図、（Ｉ）は（Ｄ）のＩ部拡大図である。
【図２８】（Ａ）〜（Ｅ）は、ガイド部材の平面図、正面図、底面図、側面図及び背面図であり、（Ｆ）は（Ｂ）のＢ−Ｂ線断面図、（Ｇ）は（Ｂ）のＡ−Ａ線断面図、（Ｈ）は（Ｂ）のＣ−Ｃ線断面図である。
【図２９】（Ａ）〜（Ｃ）は、拘束部材の平面図、正面図及び側面図である。
【図３０】（Ａ）〜（Ｄ）は、係止カムの背面図、平面図、正面図及び側面図である。
【図３１】（Ａ）〜（Ｄ）は、押しボタンの正面図、側面図、背面図及び底面図、（Ｅ）は（Ａ）のＡ−Ａ線断面図である。
【図３２】（Ａ）〜（Ｄ）は、ストッパーの正面図、底面図、背面図及び側面図である。
【図３３】（Ａ）及び（Ｂ）は、錠の従来例の構成を示す正面図及び背面図である。
【発明を実施するための形態】
【００２０】
本発明の実施の形態について図面を参照しながら以下に説明する。
【００２１】
図１（Ａ）〜（Ｃ）、図２に示す錠は、例えば物置や車庫、倉庫の引戸等に設置されるものである。この錠は、物置や車庫、倉庫以外にも適用可能であり、開き戸や柱等、引戸以外の部材、部位にも設置可能であるが、以下では、物置の引戸に設置する場合について説明する。
【００２２】
図１（Ｂ）及び図２に示すように、錠の前面には、施錠ボタン１及び解錠ボタン２を有するシーソー部材３と、正規の鍵４を挿入可能な鍵挿入口５とが配され、図１（Ａ）に示すように、錠の背面には、押しボタン６が設けられている。そして、錠は、その前面が物置の外側に臨み、背面は物置の内側に臨むように物置の引戸に設置される。
【００２３】
また、図２に示すように、錠の本体ケース（錠ケース）７の側方には施錠部材８が突出していて、この施錠部材８は、図３（Ａ）、図５（Ａ）に示す横向きの施錠姿勢と、図４（Ａ）に示す下向きの解錠姿勢とに変更可能である。ここで、施錠姿勢にある施錠部材８は、物置の適宜の部位に設けられる図外の受金具に係止可能であり、この係止状態では引戸の開放が不可能となる。また、解錠姿勢にある施錠部材８は受金具に係止せず、受金具に施錠部材８が係止していないとき、引戸の開放は許容される。なお、図１（Ａ）〜（Ｃ）、図１８（Ａ）〜（Ｄ）には、本体ケース７の下方に突出し、解錠姿勢にある施錠部材８を保護するためのガード部９を描いてあるが、他の図面では省略している。
【００２４】
そして、この錠は、（１）施錠ボタン１による仮施錠操作、解錠ボタン２による仮解錠操作、（２）鍵４による本施錠操作及び本解錠操作、（３）押しボタン６による解錠操作（仮解錠操作または仮解錠兼本解錠操作）を行える。以下、各操作の内容と、各操作を実現するための構成について述べる。
【００２５】
まず、（１）施錠ボタン１による仮施錠操作、解錠ボタン２による仮解錠操作とは、施錠ボタン１、解錠ボタン２に対する後方への押し操作を指し、これらの操作によって施錠部材８の姿勢を変更することができる。すなわち、図３（Ａ）及び（Ｂ）に示すように、施錠ボタン１が後退位置にある状態では、施錠部材８は施錠姿勢をとり、図４（Ａ）及び（Ｂ）に示すように、解錠ボタン２が後退位置にある状態では、施錠部材８は解錠姿勢をとる。
【００２６】
続いて、上記（１）の操作を実現するための機構の概略について図８を参照しながら説明すると、押し操作を受ける施錠ボタン１又は解錠ボタン２の動きは、シーソー部材３の左右方向に延びる回転軸部１０まわりの回転運動に変換され、この回転運動が、施錠部材８の前後方向に延びる回転軸１１まわりの回転運動に変換されるように、シーソー部材３と施錠部材８との間には、上下方向（回転軸部１０及び回転軸１１に直行する方向）にスライド可能な伝達部材１２が設けられている。
【００２７】
詳述すると、まず、図８に示すように、シーソー部材３の一端側は施錠ボタン１、他端側は解錠ボタン２になっている。そして、シーソー部材３の左右の側面の中央部には、外方に突出する回転軸部１０が各々設けられ、各回転軸部１０は、本体ケース７に設けられた支持穴１３（図１７（Ｂ）、（Ｄ）及び（Ｅ）参照）に挿し込まれ、これにより、シーソー部材３は本体ケース７によって回動（揺動）可能に保持される。従って、施錠ボタン１又は解錠ボタン２の何れか一方が後方への押し操作を受けて後退すると他方が前進するようにシーソー部材３は回動するのであり、シーソー部材３は誰でも簡単に操作可能な形状（ユニバーサルデザイン）になっている。
【００２８】
ここで、本体ケース７は、図外の引戸の取付穴に取り付けられるものであって、図１７（Ａ）〜（Ｅ）に示す表カバー７Ａと、図１８（Ａ）〜（Ｄ）に示す裏カバー７Ｂとで構成され、表カバー７Ａに設けられた複数のねじ穴１４に、裏カバー７Ｂに設けられた貫通孔１５を貫通するねじ部材１６（図１（Ａ）参照）を螺着することにより、両カバー７Ａ，７Ｂは一体化される。なお、シーソー部材３の回転軸部１０を支持する支持穴１３は表カバー７Ａに設けられている。
【００２９】
また、シーソー部材３は、図６及び図８に示すように、シーソー本体部３Ａ（図１９（Ａ）〜（Ｄ）も参照）と、シーソー本体部３Ａの一端側に装着される解錠表示板３Ｂ（図２０（Ａ）〜（Ｄ）も参照）と、シーソー本体部３Ａの他端側に装着される施錠表示板３Ｃ（図２１（Ａ）〜（Ｅ）も参照）とを有し、解錠表示板３Ｂは全体が青、施錠表示板３Ｃは全体が赤に着色されている。これにより、青色の解錠表示板３Ｂが見えているときには解錠状態であり、赤色の施錠表示板３Ｃが見えているときには施錠状態であることが一目で分かり、錠は使用上の利便性に優れたものとなっている。
【００３０】
さらに、シーソー部材３の回転軸部１０は、シーソー本体部３Ａと別体に設けられていて、図２２（Ａ）〜（Ｃ）に示す雌軸部１０Ａと、図２２（Ｄ）〜（Ｆ）に示す雄軸部１０Ｂと、ばね１０Ｃ（図２２（Ｇ）参照）とで構成されている。すなわち、雌軸部１０Ａは、左右方向に延びる筒状部１７を有し、この筒状部１７に、ばね１０Ｃと、雄軸部１０Ｂの左右方向に延びる棒状部１８とが挿入され、雌軸部１０Ａと雄軸部１０Ｂとはばね１０Ｃによって離間する方向に付勢される状態で接続される。そして、この状態で、雌軸部１０Ａの端部１９、雄軸部１０Ｂの端部２０が、シーソー本体部３Ａの左右側面に設けられた貫通孔２１（図１９（Ｂ）〜（Ｄ）参照）に挿し込まれる。なお、棒状部１８の外周面には突起２２（図２２（Ｅ）、（Ｆ）参照）が形成され、この突起２２を受け入れる溝２３が筒状部１７（図２２（Ａ）、（Ｂ）参照）に形成されているので、筒状部１７に挿入された状態の棒状部１８が筒状部１７に対して回動することはない。
【００３１】
一方、施錠部材８は、図２４（Ａ）及び（Ｂ）に示すように構成され、本体ケース７に取り付けられる受け板２４に立設する回転軸１１に挿し込まれる貫通孔２５を有する。
【００３２】
ここで、受け板２４は、図２５（Ａ）〜（Ｄ）に示すように構成され、表カバー７Ａに設けられた複数のねじ穴２６（図１７（Ｂ）参照）に、受け板２４に設けられた貫通孔２７を貫通する図外のねじ部材を螺着することにより、受け板２４は表カバー７Ａに一体化される。また、図７に示すように、受け板２４の下部の適宜の位置に回転軸１１が例えば溶接により接合される。
【００３３】
また、施錠部材８には、図２６（Ａ）〜（Ｃ）に示す爪部材２８が、図７に示すように接合され一体化される。そのため、施錠部材８には、爪部材２８が有する突起２８ａが嵌まり込む貫通孔（または凹入部）８ａが設けられている。なお、爪部材２８には、回転軸１１によって貫かれる貫通孔２８ｂも形成されている。
【００３４】
他方、伝達部材１２は、図２３（Ａ）〜（Ｄ）に示すように構成され、シーソー部材３（シーソー本体部３Ａ）の背面に設けられた後方に突出する一対の突出部２９の間の凹部に嵌まり込む凸部３０を有する（図８参照）。また、伝達部材１２には、爪部材２８の一端部が嵌まり込む凹部３１も形成されている。
【００３５】
以上の構成により、図８に示すように、施錠部材８が施錠姿勢をとっているときに解錠ボタン２による仮解錠操作を行った場合、解錠ボタン２に対する押し操作（実線の矢印参照）はシーソー部材３の回転軸部１０まわりの回転運動に変換され、この回転運動は、シーソー部材３の一対の突出部２９の間の凹部に嵌まり込む凸部３０を有する伝達部材１２の直線運動（スライド）に変換される。そして、この直線運動は、伝達部材１２の凹部３１に嵌まり込む爪部材２８が一体化された施錠部材８の回転軸１１まわりの回転運動に変換され、施錠部材８は解錠姿勢をとる状態になる。
【００３６】
逆に、施錠部材８が解錠姿勢をとっているときに施錠ボタン１による仮施錠操作を行った場合（破線の矢印参照）は、上記と逆の動きが生じ、施錠部材８は施錠姿勢をとる状態になる。
【００３７】
従って、伝達部材１２は、施錠ボタン１又は解錠ボタン２が後方への押し操作を受けたときのシーソー部材３の回動を施錠部材８に伝達し、施錠ボタン１が後退位置にあるときに施錠部材８は施錠姿勢をとり、解錠ボタン２が後退位置にあるときに施錠部材８は解錠姿勢をとるようにする。
【００３８】
次に、（２）鍵４による本施錠操作及び本解錠操作とは、鍵４を鍵挿入口５に挿し込んで行う回動操作を指し（図１（Ｂ）参照）、これらの操作によって仮解錠操作が不可能となるロック状態と、仮解錠操作及び仮施錠操作を自由に行えるオープン状態とに変更することができる。すなわち、図５（Ａ）に示すように、鍵挿入口５から差し込まれる鍵４によって回動操作されるシリンダー錠３２がロック位置に停止した状態では、仮解錠操作を行えないロック状態となり、図３（Ａ）、図４（Ａ）に示すように、シリンダー錠３２がオープン位置に停止した状態では、仮解錠操作及び仮施錠操作を自由に行えるオープン状態となる。
【００３９】
続いて、上記（２）の操作を実現するための機構について説明する。まず、前方から鍵４が差し込まれるシリンダー錠３２は、図２７（Ａ）〜（Ｉ）に示すように構成され、図２８（Ａ）〜（Ｈ）に示すように構成されたガイド部材３３の略円筒状のシリンダーケース部３４に装着される（図７参照）。そして、シリンダー錠３２に鍵４を差し込んだ状態での回動操作によって、図１０（Ａ）及び（Ｂ）、図１１（Ａ）及び（Ｂ）に示すように、シリンダー錠３２の背面に設けられた突起３２ａの位置が変わり、この突起３２ａに係合する溝３５ａを有する拘束部材３５（図２９（Ａ）〜（Ｃ）参照）がシリンダー錠３２に連動して上下方向にスライドする。
【００４０】
ここで、図７に示すように、ガイド部材３３は、本体ケース７に取り付けられる受け板２４に固定されて動かないのに対し、シリンダー錠３２は、ガイド部材３３のシリンダーケース部３４に回動可能に装着され、また、拘束部材３５は、ガイド部材３３によって上下方向にスライド可能に保持される。そのため、拘束部材３５の背面にはレール部３５ｂが形成され、ガイド部材３３にはレール部３５ｂをガイドするガイド溝３３ａが形成されている。また、拘束部材３５は、溝３５ａがシリンダーケース部３４の背面側に位置するようにガイド部材３３によって保持される。
【００４１】
そして、図５（Ａ）に示すように、シリンダー錠３２がロック位置に停止した状態では、拘束部材３５は伝達部材１２の動きを規制する規制位置に位置し（図１０（Ａ）、図１１（Ａ）参照）、このとき、図１３（Ａ）及び（Ｂ）に示すように、拘束部材３５が具備する係止カム３６の係止爪３６ａが、伝達部材１２の係止溝１２ａに係止し、伝達部材１２の動き（スライド）は規制される（図７も参照）。
【００４２】
ここで、伝達部材１２は、図７に示すように、凸部３０と反対側に係止壁３７を有し、この係止壁３７の先（前）端部に係止溝１２ａが形成されている。
【００４３】
また、係止カム３６は、図３０（Ａ）〜（Ｄ）に示すように構成され、図７に示すように、拘束部材３５が有する互いに平行に延びる二つの保持壁３８によって上下方向の軸３９回りに回動可能に保持され、図１３（Ａ）に示すように、ばね４０により、一端を伝達部材１２の係止壁３７の先（前）端部に当接させる方向に動かす軸３９回りの付勢を受ける。
【００４４】
上記のようにシリンダー錠３２がロック位置に停止した状態から、鍵４を用いた回動操作により、図４（Ａ）に示すように、シリンダー錠３２をオープン位置に停止した状態に変えると、拘束部材３５は伝達部材１２の動きを規制しない解放位置に移動し（図１０（Ｂ）、図１１（Ｂ）参照）、このとき、拘束部材３５が規制位置を離れるに伴い、係止カム３６は、ガイド部材３３のガイド壁４１先端の斜面部４１ａに沿ってガイドされて前方に移動し、係止爪３６ａはばね４０の付勢に抗して伝達部材１２の係止溝１２ａから前方に抜け、係止爪３６ａによる係止が解かれた伝達部材１２は規制されなくなり（図１２（Ａ）及び（Ｂ）参照）、上下方向にスライド可能になる。そして、このとき、図１２（Ａ）に示すように、係止カム３６は、ガイド部材３３のガイド壁４１の斜面部４１ａに連なる載置部４１ｂ（あるいは斜面部４１ａ）に係止し、伝達部材１２の係止壁３７からは離間した状態となっている。
【００４５】
ところで、オープン位置に停止した状態のシリンダー錠３２をロック位置に移動させる操作を行う際（鍵４を用いて本施錠操作を行う際）、施錠部材８が図３（Ａ）に示す施錠姿勢をとっている場合は、拘束部材３５が解放位置（図１１（Ｂ）参照）から規制位置（図１１（Ａ）参照）に移動する間、規制位置付近にある伝達部材１２は殆ど動かず、この伝達部材１２の係止溝１２ａに対して拘束部材３５の係止カム３６の係止爪３６ａが係止することにより、本施錠操作は完了する。
【００４６】
これに対して、施錠部材８が図４（Ａ）に示す解錠姿勢をとっている場合は、伝達部材１２は解放位置と規制位置の中間に位置しているので、拘束部材３５が解放位置から規制位置に移動するまでの途中の位置で、係止カム３６の係止爪３６ａが伝達部材１２の係止溝１２ａに係止し、この係止以後は、拘束部材３５と伝達部材１２とが一体的にスライドし、ともに規制位置で停止する。そして、このスライドに伴って、施錠部材８は解錠姿勢から施錠姿勢に変わる。すなわち、施錠部材８が解錠姿勢をとっているときに拘束部材３５が解放位置から規制位置に移動する場合、拘束部材３５は、係止カム３６を介して伝達部材１２に係止しながら移動し、伝達部材１２を動かして施錠部材８に施錠姿勢をとらせる。
【００４７】
従って、鍵４を用いて本施錠する際、施錠部材８が施錠状態の場合はもちろん、解錠状態であってもそのままワンアクションで本施錠することが可能である。
【００４８】
また、鍵４を用いて本解錠する際に、拘束部材３５は規制位置から解放位置に移動するが、この移動の開始時には、係止カム３６の係止爪３６ａが伝達部材１２の係止溝１２ａに係止した状態になっているので、伝達部材１２も拘束部材３５とともに移動し、この移動に伴い、施錠部材８は施錠姿勢から解錠姿勢に変化することになる。そして、この変化後は、ガイド部材３３のガイド壁４１の斜面部４１ａにガイドされる係止カム３６の係止爪３６ａが伝達部材１２の係止溝１２ａから抜けるため、伝達部材１２はその時点で停止する一方、拘束部材３５は移動を継続して解放位置にまで到達することになる。
【００４９】
従って、鍵４を用いて本解錠する際、施錠部材８が自動的に解錠状態になるので、本施錠状態にある錠が取り付けられた引戸を開放する際、本解錠操作の他に仮解錠操作を別途行う必要がなく、ワンアクションで仮解錠まで行うことができる。
【００５０】
最後に、（３）押しボタン６による解錠操作（仮解錠操作または仮解錠兼本解錠操作）とは、押しボタン６に対する前方への押し操作を指し、この操作によって施錠姿勢をとっている施錠部材８は解錠姿勢をとるようになる。
【００５１】
上記（３）の操作を実現するための機構について図９を参照しながら説明すると、前方への押し操作を受ける押しボタン６の動きは、押しボタン６の基部４２を中心とした上下方向の軸回りの回転運動に変換される。これに伴い、押しボタン６の前面上部に設けられた前方に突出する突出部４３が前方に移動して施錠ボタン１に当接し、この当接は、シーソー部材３の回転軸部１０まわりの回転運動に変換され、施錠ボタン１は前進し、解錠ボタン２は後退することになる。このようなシーソー部材３の回動は、伝達部材１２を介して施錠部材８に伝達され、施錠姿勢をとっていた施錠部材８は解錠姿勢をとる状態に変わる。なお、シーソー部材３の回転運動が伝達部材１２を介して施錠部材８に伝達される過程については、（１）の操作についての説明箇所で既に述べているので、その説明は省略する。
【００５２】
ここで、押しボタン６は、図３１（Ａ）〜（Ｅ）に示すように構成され、図７に示すように、押しボタン６の二つの基部４２が、各基部４２に設けられた貫通孔４２ａに挿し込まれるピン部材４４によってガイド部材３３に連結され、連結後の押しボタン６は、二つのピン部材４４を中心に回動可能となる。また、一方のピン部材４４に巻回される図外のばね部材により、押しボタン６は、ピン部材４４を中心に突出部４３（先端）が前進する方向に回動するような付勢を受けた状態となるのであり、図３１（Ａ）、（Ｃ）、（Ｄ）、（Ｅ）に示すように、押しボタン６には、ばね部材の一端を差し込むための穴６ａが形成されている。なお、押しボタン６がこのばね部材から受ける付勢力は、係止カム３６がばね４０から受ける付勢力よりも小さい。
【００５３】
従って、施錠部材８が施錠姿勢をとり、施錠ボタン１が後退位置にあるときに、図９に示すように、シーソー部材３の背面側に配された押しボタン６が前方への押し操作を受けると、押しボタン６はピン部材４４を中心に回動し、押しボタン６の突出部４３が施錠ボタン１の縁部に当接して施錠ボタン１を前進させ、これに伴って施錠部材８が解錠姿勢をとることになる。
【００５４】
そして、押しボタン６による解錠操作は、仮施錠状態、本施錠状態のいずれのときにも行える。すなわち、仮施錠状態のときに押しボタン６による解錠操作を行うと、上記のように作動する。また、本施錠状態のときに押しボタン６による解錠操作を行うと、上記の作動に加えて、押しボタン６に連動する解除カム４５が係止カム３６に当接して伝達部材１２に対する係止カム３６の係止を解除する、という本解錠を行うための作動も同時に進行する。
【００５５】
詳述すると、まず、押しボタン６の二つの基部４２の一方には、図７に示すように、解除カム４５が連設されている。また、図３０（Ｂ）及び（Ｄ）に示すように、係止カム３６は係止爪３６ａと反対側に被係止爪３６ｂを有する。
【００５６】
ここで、鍵４を用いた本施錠が行われておらず、シリンダー錠３２がオープン位置にあり、図１０（Ｂ）に示すように拘束部材３５が解放位置にあるときは、解除カム４５は係止カム３６の被係止爪３６ｂに接触しないか、または被係止爪３６ｂを殆ど押圧しない程度に接触する。なお、図１０（Ｂ）では、解除カム４５と被係止爪３６ｂとが重なっているように見えるが、解除カム４５の背面は斜めに切り欠かれた形状をしているため（図７参照）、実際には両者４５、３６ｂは接触していない。
【００５７】
そして、シリンダー錠３２がロック位置に移動するように鍵４を用いた本施錠が行われ、図１０（Ａ）に示すように拘束部材３５が規制位置に移動すると、解除カム４５は被係止爪３６ｂの前面に接触する状態となる。但し、この状態では、解除カム４５が被係止爪３６ｂを押圧して係止カム３６を回動させることはない。
【００５８】
上記の状態で、押しボタン６が前方に押し操作されると、押しボタン６はピン部材４４回りに回動し、押しボタン６に設けられ押しボタン６と一体的に回動する解除カム４５が被係止爪３６ｂを押圧することにより、係止カム３６の係止爪３６ａが伝達部材１２の係止溝１２ａから抜けた状態になる（図１４（Ａ）及び（Ｂ）参照）。従って、この状態では、伝達部材１２の上下方向のスライドが可能になり、押しボタン６の更なる回動によって、後退位置にある施錠ボタン１が前方に移動し、シーソー部材３が回転軸部１０回りに回動し、この回動は伝達部材１２を介して施錠部材８に伝達され、施錠部材８は施錠姿勢から解錠姿勢に変化することになる。
【００５９】
以上が押しボタン６による解錠操作時における本解錠を行うための作動であり、この作動後、図１５（Ａ）及び（Ｂ）に示すように、係止カム３６の係止爪３６ａは、伝達部材１２の係止壁３７に係止し、拘束部材３５が規制位置に停止した状態になっている。そこで、このような状態になった場合は、鍵４をシリンダー錠３２に差し込んで回動操作し、拘束部材３５を解放位置に戻せばよい。
【００６０】
ところで、施錠部材８が施錠姿勢をとっているときの施錠ボタン１は後退位置にあり、このときに押しボタン６を前方に押し操作すると、押しボタン６の突出部４３が施錠ボタン１に当接することは上述した通りであるが、施錠部材８が解錠姿勢をとっているときの施錠ボタン１は前進位置にあり、このときに押しボタン６を前方に押し操作しても施錠ボタン１に当接せず、解錠状態が維持されることになる。
【００６１】
従って、本実施形態の錠が引戸に取り付けられた物置内に人が閉じ込められた場合でも、その者は庫内側（物置内側）から押しボタン６を前方に押し操作するだけで解錠操作を行うことができ、この解錠操作は非常にシンプルであるので、物置内が暗くてもそこからの脱出が容易となる。また、押しボタン６に対する操作は、押し操作による解錠操作のみであり、庫内側から施錠操作が行われることはないので、物置内に閉じ込められた人がパニックになって解錠操作と施錠操作を繰り返す、といったことも生じない。
【００６２】
また、図１９（Ａ）に示すように、シーソー本体部３Ａの中央には図外の例えば透明な板材により塞がれる開口４６が形成され、シーソー本体部３Ａの背面側にある押しボタン６は透明材料により形成されている。故に、本実施形態の錠では、シーソー本体部３Ａの開口４６から物置内への採光が可能になっている上、シーソー本体部３Ａの開口４６の背面側には、蓄光材からなる矢印形状の表示部材４７（図１（Ａ）、図３１（Ａ）参照）が配されているので、物置内に人が閉じ込められた場合でも、その人は、開口４６から物置内に導入される光や、表示部材４７が放つ光を頼りに、押しボタン６を容易に見つけることができる。なお、図３〜図５では、開口４６の図示を省略している。
【００６３】
また、図５（Ａ）及び（Ｂ）に示すように本施錠した状態で、解錠ボタン２が強い力で押されると解錠されてしまう、といったことが生じないようにするために、本実施形態では、図３２（Ａ）〜（Ｄ）に示すように構成されたストッパー４８を設けている。
【００６４】
詳述すると、図７に示すように、ストッパー４８には二つの貫通孔４８ａ、４８ｂが形成され、一方の貫通孔４８ａはピン部材４４によって貫かれ、他方の貫通孔４８ｂには、解除カム４５が連設されていない基部４２に設けられた突起４２ｂが差し込まれる。従って、ストッパー４８は、押しボタン６と一体的にピン部材４４回りに回動するのであり、解除カム４５に連動することになる。
【００６５】
ところで、シリンダー錠３２がオープン位置からロック位置に移動するのに伴って、図１０（Ａ）に示すように、係止カム３６の被係止爪３６ｂに解除カム４５が当接するのは上述した通りであるが、このとき、図１６に示すように、解除カム４５に連動するストッパー４８が前進位置にある解錠ボタン２の後方への移動を妨げる位置に停止した状態になり、これにより、解錠ボタン２に対する後方への押し操作が不能となる。従って、本施錠状態にあるときに解錠ボタン２を強い力で押しても解錠されることはない。また、本施錠されておらず仮施錠状態にあるときには、図３（Ａ）及び（Ｂ）に示すように、解錠ボタン２は前進位置にあるが、この状態の解錠ボタン２に対する後方への押し操作をストッパー４８が妨げることはなく、そのために、図６に示すように、シーソー本体部３Ａ及び施錠表示板３Ｃには、ストッパー４８に対応する凹部４９，５０が各々設けられている。
【００６６】
なお、本発明は、上記の実施の形態に何ら限定されず、本発明の要旨を逸脱しない範囲において種々に変形して実施し得ることは勿論である。例えば、以下のような変形例を挙げることができる。
【００６７】
上記実施形態では、図６に示すように、シーソー本体部３Ａに対して、解錠表示板３Ｂ，施錠表示板３Ｃを別体としているが、これに限らず、例えばこれら三つの部材３Ａ〜３Ｃを一体化してあってもよく、この場合、シーソー部材３における解錠表示板３Ｂ、施錠表示板３Ｃに相当する部位を青色、赤色にそれぞれ塗装等すればよい。
【００６８】
上記実施形態では、本解錠状態において施錠ボタン１又は解錠ボタン２が押し操作されると、図８に示すように、シーソー部材３の回転運動が伝達部材１２の直線運動に変換され、さらにこの直線運動が施錠部材８の回転運動に変換されるようにしているが、このような力の伝達機構は種々に変更可能であり、例えば図８に示した機構を、他の適宜のラックアンドピニオン機構等に変更してもよく、このことは、他の力の伝達機構についても同様である。
【００６９】
すなわち、例えば上記実施形態では、図９に示すように、押しボタン６の前面に前方に突出する突出部４３を設けているが、これに限らず、押しボタン６の前面をフラットにし、施錠ボタン１の背面に後方に突出する突出部を設けるようにしてもよい。また、押しボタン６と施錠ボタン１とは直接当接してもよいが、他の部材を介して当接するようにしてもよい。
【００７０】
図６、図７に示す例では、爪部材２８を介して施錠部材８の回動に節度感を付与するためのばね部材５１をガイド部材３３に装着しているが、これに限らず、例えば受け板２４にばね部材５１を装着してもよい。
【００７１】
なお、上記変形例どうしを適宜組み合わせてもよいことはいうまでもない。
【符号の説明】
【００７２】
１    施錠ボタン
２    解錠ボタン
３    シーソー部材
３Ａ  シーソー本体部
３Ｂ  解錠表示板
３Ｃ  施錠表示板
４    鍵
５    鍵挿入口
６    押しボタン
６ａ  穴
７    本体ケース
７Ａ  表カバー
７Ｂ  裏カバー
８    施錠部材
８ａ  貫通孔
９    ガード部
１０    回転軸部
１０Ａ  雌軸部
１０Ｂ  雄軸部
１０Ｃ  ばね
１１    回転軸
１２    伝達部材
１２ａ  係止溝
１３    支持穴
１４    ねじ穴
１５    貫通孔
１６    ねじ部材
１７    筒状部
１８    棒状部
１９    端部
２０    端部
２１    貫通孔
２２    突起
２３    溝
２４    受け板
２５    貫通孔
２６    ねじ穴
２７    貫通孔
２８    爪部材
２８ａ  突起
２８ｂ  貫通孔
２９    突出部
３０    凸部
３１    凹部
３２    シリンダー錠
３２ａ  突起
３３    ガイド部材
３３ａ  ガイド溝
３４    シリンダーケース部
３５    拘束部材
３５ａ  溝
３５ｂ  レール部
３６    係止カム
３６ａ  係止爪
３６ｂ  被係止爪
３７    係止壁
３８    保持壁
３９    軸
４０    ばね
４１    ガイド壁
４１ａ  斜面部
４１ｂ  載置部
４２    基部
４２ａ  貫通孔
４２ｂ  突起
４３    突出部
４４    ピン部材
４５    解除カム
４６    開口
４７    表示部材
４８    ストッパー
４８ａ  貫通孔
４８ｂ  貫通孔
４９    凹部
５０    凹部
５１    ばね部材
７１    錠
７２    キー挿入口
７３    庫外ノブ
７４    庫内ノブ
７５    庫内ロックノブ
【図１】
2016061095.tif 000003
【図２】
2016061095.tif 000004
【図３】
2016061095.tif 000005
【図４】
2016061095.tif 000006
【図５】
2016061095.tif 000007
【図６】
2016061095.tif 000008
【図７】
2016061095.tif 000009
【図８】
2016061095.tif 000010
【図９】
2016061095.tif 000011
【図１０】
2016061095.tif 000012
【図１１】
2016061095.tif 000013
【図１２】
2016061095.tif 000014
【図１３】
2016061095.tif 000015
【図１４】
2016061095.tif 000016
【図１５】
2016061095.tif 000017
【図１６】
2016061095.tif 000018
【図１７】
2016061095.tif 000019
【図１８】
2016061095.tif 000020
【図１９】
2016061095.tif 000021
【図２０】
2016061095.tif 000022
【図２１】
2016061095.tif 000023
【図２２】
2016061095.tif 000024
【図２３】
2016061095.tif 000025
【図２４】
2016061095.tif 000026
【図２５】
2016061095.tif 000027
【図２６】
2016061095.tif 000028
【図２７】
2016061095.tif 000029
【図２８】
2016061095.tif 000030
【図２９】
2016061095.tif 000031
【図３０】
2016061095.tif 000032
【図３１】
2016061095.tif 000033
【図３２】
2016061095.tif 000034
【図３３】
2016061095.tif 000035